(57)【要約】【課題】折り畳み形態が小さく、収納性が高く、また、配布時の利便性が高い端末閲覧器具を提供する。【解決手段】端末閲覧器具１００は、映像表示端末５００に表示される像を閲覧する端末閲覧器具１００であって、素材の中央において２つ折りに折曲げられ、一方の端部を形成する中央折曲げ線Ｌ２と、中央折曲げ線Ｌ２とは反対側の端部において重なる部位を接合した第１接合部１０２ｂと、中央折曲げ線Ｌ２と平行な２本の山折り線により挟まれた領域に形成され、端末を観察するときに接眼される接眼部１０１と、接眼部１０１が配置されている面とは反対側で重なる面に設けられ、中央折曲げ線Ｌ２と平行に形成された山折り線とを備える。【選択図】図２
2019105707.tif 000002
【特許請求の範囲】
【請求項１】
端末に表示される像を閲覧する端末閲覧器具であって、
素材の中央において２つ折りに折曲げられ、一方の端部を形成する中央折曲げ線と、
前記中央折曲げ線とは反対側の端部において重なる部位を接合した第１接合部と、
前記中央折曲げ線と平行な２本の山折り線により挟まれた領域に形成され、端末を観察するときに接眼される接眼部と、
前記接眼部が配置されている面とは反対側で重なる面に設けられ、前記中央折曲げ線と平行に形成された山折り線と、
を備える端末閲覧器具。
【請求項２】
請求項１に記載の端末閲覧器具において、
前記中央折曲げ線をまたいで前記中央折曲げ線と略直交して形成された仕切り山折り線と、
前記仕切り山折り線に繋がって形成された離間予定線と、
を備える仕切り部を備えること、
を特徴とする端末閲覧器具。
【請求項３】
請求項１又は請求項２に記載の端末閲覧器具において、
前記中央折曲げ線と交差する方向に延在する両端部において重なる部位を接合した第２接合部をさらに備え、
前記第１接合部と前記第２接合部とが連続してコの字状に接合部位が構成されていること、
を特徴とする端末閲覧器具。
【請求項４】
請求項１から請求項３までのいずれかに記載の端末閲覧器具において、
前記接眼部には、レンズが配置されていること、
を特徴とする端末閲覧器具。
【請求項５】
請求項１から請求項４までのいずれかに記載の端末閲覧器具において、
前記接眼部は、
開口部と、
前記開口部から取り外し可能に取り付けられた仮蓋と、
を備えること、
を特徴とする端末閲覧器具。
【発明の詳細な説明】
【技術分野】
【０００１】
本発明は、表示端末を保持する端末閲覧器具に関するものである。
【背景技術】
【０００２】
従来、バーチャルリアリティ（ＶＲ）、オーグメンテッドリアリティ（ＡＲ）等を体験できる箱型の端末閲覧器具があった（例えば、特許文献１）。
このような端末閲覧器具には、紙等により構成された簡易的な構造のものが、安価に提供するため、又は、付録等として配布するために利用されている。
【０００３】
また、配布時の利便性、及び、収納性を高めるために、折り畳み可能であることが要求されることから折り畳み可能な形態も知られている。
しかし、従来の折り畳み可能な端末閲覧器具は、折り畳まれた形態が平らにはなるものの、全体が占める面積が大きい場合が多かった。また、折り畳んだ状態であっても、手を離すと紙のコシによって形状が戻ってしまう場合が多く、収納性が悪かったり、配布時の利便性が悪かったりする場合があった。
【先行技術文献】
【特許文献】
【０００４】
【特許文献１】特開２０１６−１３６２３０号公報
【発明の概要】
【発明が解決しようとする課題】
【０００５】
本発明の課題は、折り畳み形態が小さく、収納性が高く、また、配布時の利便性が高い端末閲覧器具を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、端末（５００）に表示される像を閲覧する端末閲覧器具（１００，２００）であって、素材の中央において２つ折りに折曲げられ、一方の端部を形成する中央折曲げ線（Ｌ２，Ｌ２２）と、前記中央折曲げ線（Ｌ２，Ｌ２２）とは反対側の端部において重なる部位を接合した第１接合部（１０２ｂ，２０２ｂ）と、前記中央折曲げ線（Ｌ２，Ｌ２２）と平行な２本の山折り線（Ｌ１，Ｌ６，Ｌ２１，Ｌ２６）により挟まれた領域に形成され、端末を観察するときに接眼される接眼部（１０１，２０１）と、前記接眼部（１０１，２０１）が配置されている面とは反対側で重なる面に設けられ、前記中央折曲げ線（Ｌ２，Ｌ２２）と平行に形成された山折り線（Ｌ４，Ｌ２４）と、を備える端末閲覧器具（１００，２００）である。
【０００８】
第２の発明は、第１の発明に記載の端末閲覧器具（１００，２００）において、前記中央折曲げ線（Ｌ２，Ｌ２２）をまたいで前記中央折曲げ線（Ｌ２，Ｌ２２）と略直交して形成された仕切り山折り線（Ｌ３，Ｌ２３）と、前記仕切り山折り線（Ｌ３，Ｌ２３）に繋がって形成された離間予定線（Ｌ９，Ｌ２９）と、を備える仕切り部（１０３ｃ，２０３ｃ）を備えること、を特徴とする端末閲覧器具（１００，２００）である。
【０００９】
第３の発明は、第１の発明又は第２の発明に記載の端末閲覧器具（１００，２００）において、前記中央折曲げ線（Ｌ２２）と交差する方向に延在する両端部において重なる部位を接合した第２接合部（２０５）をさらに備え、前記第１接合部（２０２ｂ）と前記第２接合部（２０５）とが連続してコの字状に接合部位が構成されていること、を特徴とする端末閲覧器具（１００，２００）である。
【００１０】
第４の発明は、第１の発明から第３の発明までのいずれかに記載の端末閲覧器具（１００，２００）において、前記接眼部（１０１，２０１）には、レンズ（１２０，２２０）が配置されていること、を特徴とする端末閲覧器具（１００，２００）である。
【００１１】
第５の発明は、第１の発明から第４の発明までのいずれかに記載の端末閲覧器具（１００，２００）において、前記接眼部（１０１，２０１）は、開口部（１０１ａ，２０１ａ）と、前記開口部（１０１ａ，２０１ａ）から取り外し可能に取り付けられた仮蓋（１０１ｂ，２０１ｂ）と、を備えること、を特徴とする端末閲覧器具（１００，２００）である。
【発明の効果】
【００１２】
本発明によれば、折り畳み形態が小さく、収納性が高く、また、配布時の利便性が高い端末閲覧器具を提供することができる。
【図面の簡単な説明】
【００１３】
【図１】第１実施形態の端末閲覧器具を表側から見た展開図である。
【図２】第１実施形態の端末閲覧器具を正面側の斜め上方から示す斜視図である。
【図３】第１実施形態の端末閲覧器具を正面側の斜め下方から示す斜視図である。
【図４】第１実施形態の端末閲覧器具の側面図である。
【図５】第１実施形態の端末閲覧器具の折り畳み状態を示す図である。
【図６】第１実施形態の端末閲覧器具の折り畳み状態と使用状態との間の変形途中の状態を示す図である。
【図７】第２実施形態の端末閲覧器具を表側から見た展開図である。
【図８】第２実施形態の端末閲覧器具を正面側の斜め上方から示す斜視図である。
【図９】第２実施形態の端末閲覧器具を正面側の斜め下方から示す斜視図である。
【図１０】第２実施形態の端末閲覧器具の側面図である。
【図１１】第２実施形態の端末閲覧器具の折り畳み状態を示す図である。
【図１２】第２実施形態の端末閲覧器具の折り畳み状態と使用状態との間の変形途中の状態を示す図である。
【図１３】第３実施形態の端末閲覧器具を表側から見た展開図である。
【図１４】第３実施形態の端末閲覧器具を正面側の斜め上方から示す斜視図である。
【図１５】第３実施形態の端末閲覧器具を正面側の斜め下方から示す斜視図である。
【図１６】第３実施形態の端末閲覧器具の側面図である。
【図１７】第３実施形態の端末閲覧器具の折り畳み状態を示す図である。
【図１８】第３実施形態の端末閲覧器具の折り畳み状態と使用状態との間の変形途中の状態を示す図である。
【発明を実施するための形態】
【００１４】
以下、本発明を実施するための最良の形態について図面等を参照して説明する。
【００１５】
（第１実施形態）
図１は、第１実施形態の端末閲覧器具を表側から見た展開図である。
図２は、第１実施形態の端末閲覧器具を正面側の斜め上方から示す斜視図である。
図３は、第１実施形態の端末閲覧器具を正面側の斜め下方から示す斜視図である。
図４は、第１実施形態の端末閲覧器具の側面図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００１６】
本明細書において、形状や幾何学的条件を特定する用語、例えば、平行や直交等の用語については、厳密に意味するところに加え、同様の機能を奏し、平行や直交と見なせる程度の誤差を有する状態も含むものとする。すなわち、本発明の端末閲覧器具は、紙等の柔軟な素材を用いて構成されるので、実際の物は、若干撓んだりしている状態にあり、厳密に平行や直交の状態にはない場合が多いが、以下の説明では、そのような物も、含んだ物として説明する。
また、本明細書において、板、シート等の言葉を使用しているが、これらは、一般的な使い方として、厚さの厚い順に、板、シートの順で使用されており、本明細書中でもそれに倣って使用している。しかし、このような使い分けには、技術的な意味は無いので、これらの文言は、適宜置き換えることができるものとする。
なお、本明細書及び特許請求の範囲において規定する具体的な数値には、一般的な誤差範囲は含むものとして扱うべきものである。すなわち、±１０％程度の差異は、実質的には違いがないものであって、本件の数値範囲をわずかに超えた範囲に数値が設定されているものは、実質的には、本件発明の範囲内のものと解釈すべきである。
【００１７】
また、以下の説明では、上下、左右、前後といった方向を示す文言を用いるが、これは、基本的には、端末閲覧器具１００を通常想定される使用状態に配置した場合において、奥行方向を前後方向とし、左右方向、上下方向を規定した。なお、通常想定される使用状態とは、利用者が観察方向、すなわち、端末閲覧器具１００の奥行方向を水平に維持し、かつ、端末閲覧器具１００のレンズ１２０に対応した左右に並ぶ開口部１０１ａの並ぶ方向を水平にした状態である。ただし、これらの上下、左右、前後の方向は、使用時の形態を限定するものではなく、説明の便宜上設定したものである。
【００１８】
端末閲覧器具１００は、図示するように、レンズ１２０を除くと、紙や各種樹脂を素材としたシート状の材料から形成されており、図１に示すような展開形状に切り出された中間体を組み立てて構成されている。そして、端末閲覧器具１００は、第１壁部１０２に沿って映像表示端末５００を設置し、映像表示端末５００に表示される映像を拡大して観察可能とするものである。映像表示端末５００は、例えば、スマートフォンやタブレット端末等を用いることができる。なお、図１中において、山折りは、一点鎖線で示し、谷折りは、二点鎖線で示している。
また、端末閲覧器具１００は、映像表示端末５００を観察可能な状態である使用状態と、折り畳まれて小型に構成される折り畳み状態との間で変形可能である。以下の説明では、先ず、使用状態における配置等について、説明する。
【００１９】
第１実施形態の端末閲覧器具１００は、接眼部１０１と、第１壁部１０２と、第２壁部１０３と、第３壁部１０４と、レンズ１２０とを備えている。レンズ１２０を除き、端末閲覧器具１００は、紙や各種樹脂を素材とした折り目を有する単一のシート状部材により構成されている。本実施形態では、厚紙により構成されている。
【００２０】
接眼部１０１は、前側に上下左右方向に延在して配置されており、レンズ１２０が配置されている領域である。接眼部１０１には、その内面側にレンズ１２０が接着剤や両面テープ等を利用して接合されている。また、接眼部１０１には、人の目の感覚に略近い間隔となるように、中心距離が略６０ｍｍ左右方向に離れて開口された開口部１０１ａを備えている。接眼部１０１は、使用状態において利用者の顔面と対向することとなる。
【００２１】
第１壁部１０２は、接眼部１０１と対向する位置である後側に上下左右方向に延在して配置されている。第１壁部１０２は、端末配置領域１０２ａと接合領域（第１接合部）１０２ｂとを備えている。端末配置領域１０２ａと接合領域１０２ｂとの間の折曲げ線Ｌ５は、表側から見て谷折りに折曲げられる。映像表示端末５００は、端末配置領域１０２ａの内面に沿って配置される（図４参照）。接合領域１０２ｂは、第１壁部１０２の端部に設けられており、後述の第３壁部１０４の端部に接合されている。接合には、接着剤を用いてもよいし、両面テープ等、他の接合手段を用いてもよい。
第１壁部１０２の端末配置領域１０２ａは、理想的には、使用状態において接眼部１０１と平行となるようにして用いられる。
【００２２】
第２壁部１０３は、下側において、接眼部１０１と第１壁部１０２との間に連続して構成されており、接眼部１０１及び第１壁部１０２と交差する前後左右方向に延在している。第２壁部１０３と接眼部１０１との境界部分は、山折りの折曲げ線（山折り線）Ｌ１となっており、第２壁部１０３と第１壁部１０２との境界部分は、山折りの折曲げ線（山折り線）Ｌ４となっている。
第２壁部１０３には、接眼部１０１と第２壁部１０３との間を接続する稜線となる折曲げ線Ｌ１と平行な方向に延在する折曲げ線（中央折曲げ線）Ｌ２が形成されている。
端末閲覧器具１００は、この折曲げ線Ｌ２において折曲げることにより、素材が中央で２つ折りに折曲げられて折り畳み状態とすることができる。折り畳み形態についての詳細は、後述する。
ここで、折曲げ線Ｌ２を境界として、第１壁部１０２を第１領域１０３ａと呼び、接眼部１０１側を第２領域１０３ｂと呼ぶこととする。使用状態では、折曲げ線Ｌ２では折曲げずに第１領域１０３ａと第２領域１０３ｂとが同一平面を構成するようにして用いる。なお、折曲げ線Ｌ２は、後述する折り畳み状態において既に折曲げられていることから、折り癖がついており、実際の使用時には、第１領域１０３ａと第２領域１０３ｂとが必ずしも同一平面を構成するとは限らないが、実使用上は、問題なく端末閲覧器具１００を利用可能である。また、以下に説明する仕切り部１０３ｃを備えることにより、第１領域１０３ａと第２領域１０３ｂとが同一平面を保ちやすくする構成としている。
【００２３】
第２壁部１０３には、折曲げ線Ｌ２に直交する折曲げ線（仕切り山折り線）Ｌ３において直交して立ち曲げられる仕切り部１０３ｃが設けられている。
仕切り部１０３ｃは、切断、又は、仮切断された離間予定線Ｌ９が設けられていることにより第２壁部１０３から離間可能に構成されており、端末閲覧器具１００の内側へ向けて立ち曲げられて、前後上下方向に延在する壁となることから、レンズ１２０を介した視野を分ける機能を備えている。
また、仕切り部１０３ｃは、折曲げ線Ｌ２に直交する折曲げ線Ｌ３において直交して立ち曲げられることから、第２壁部１０３の強度（剛性）を高めることができ、第１領域１０３ａと第２領域１０３ｂとが同一平面を保ちやすくする機能を備えている。
さらに、仕切り部１０３ｃは、第１壁部１０２に沿って映像表示端末５００が配置される位置の近傍まで延在している（図４参照）。これにより、映像表示端末５００が前方へ移動してしまうことを規制でき、映像の観察を容易にすることができる。
【００２４】
第３壁部１０４は、第２壁部１０３とは反対側となる上側で接眼部１０１と連続して構成されており、第２壁部１０３と対向する位置に配置されている。第３壁部１０４と接眼部１０１との境界部分は、山折りの折曲げ線（山折り線）Ｌ６となっている。また、上述したように、第３壁部１０４の後側の端部は、第１壁部１０２の端部に設けられた接合領域１０２ｂと接合されている。
なお、本実施形態では、第１壁部１０２に折曲げ線Ｌ５を設けて、第１壁部１０２を折曲げることとしたが、第３壁部１０４側を折曲げるようにしてもよいし、第１壁部１０２と第３壁部１０４の双方に折曲げ線を設けてもよい。
【００２５】
レンズ１２０は、フレネルレンズを２つ配置した樹脂製のレンズシートとして構成されており、接眼部１０１に接着剤又は両面テープを用いて接合されている。
【００２６】
次に、第１実施形態の端末閲覧器具１００の折り畳みについて説明する。
図５は、第１実施形態の端末閲覧器具の折り畳み状態を示す図である。
図６は、第１実施形態の端末閲覧器具の折り畳み状態と使用状態との間の変形途中の状態を示す図である。
端末閲覧器具１００は、折曲げ線Ｌ２で折曲げることにより、折り畳み状態とすることができ、折り畳み状態では、第１壁部１０２と第３壁部１０４と接眼部１０１とが平行に配置される。よって、多数の部材が重なり合うこともなく、重なるのは、基本的に、端末閲覧器具１００を構成する厚紙２枚分であり、レンズ１２０が含まれる部分だけ、レンズ１２０の厚みが加わるだけである。また、折り畳み状態の端末閲覧器具１００の外形形状は、突起部等もなく、長方形になっており、取り扱いが容易である。また、この折り畳み状態では、仕切り部１０３ｃは、第２壁部１０３と平行な状態に戻されているので、折り畳みの支障とならない。
【００２７】
第１実施形態では、第３壁部１０４の後側の端部と接合領域１０２ｂとが予め接合されており、かつ、折り畳まれた状態で利用者に対して端末閲覧器具１００を提供することを想定している。そして、輸送時等においてレンズ１２０に傷がついたり、汚れたりすることを防止するために、図５に示すように、折り畳み状態では、開口部１０１ａには、仮蓋１０１ｂが設けられている。使用を開始するまでは、この仮蓋１０１ｂにより、レンズ１２０を保護する構成となっている。仮蓋１０１ｂは、開口部１０１ａの円形ラインが部分的に接続されたミシン目状に形成されており、使用時には簡単に取り外すことができる。
【００２８】
第１実施形態の端末閲覧器具１００は、図５に示すように平坦な形態に折り畳むことができるので、例えば、封筒等に入れて郵送することも可能であり、また、大量に保管する場合にも無駄な空間が必要無く、効率よく保管が可能である。
【００２９】
以上説明したように、第１実施形態によれば、端末閲覧器具１００は、凹凸のない長方形に折り畳むことができ、また、その厚さも素材である厚紙の厚さ２枚分と、レンズ１２０のシート厚分だけである。したがって、第１実施形態の端末閲覧器具１００は、保管時や輸送時の取り扱い性が高く、利便性が高い。また、必要で有れば、封筒等に入れて輸送することも可能である。さらに、仕切り部１０３ｃを設けたことにより、使用状態における形態安定性にも優れており、必要十分な使用時の形態を備えている。
【００３０】
（第２実施形態）
図７は、第２実施形態の端末閲覧器具を表側から見た展開図である。
図８は、第２実施形態の端末閲覧器具を正面側の斜め上方から示す斜視図である。
図９は、第２実施形態の端末閲覧器具を正面側の斜め下方から示す斜視図である。
図１０は、第２実施形態の端末閲覧器具の側面図である。
【００３１】
第２実施形態においても、第１実施形態と同様に、上下、左右、前後といった方向を示す文言を用いて説明を行う。
【００３２】
端末閲覧器具２００は、図示するように、レンズ２２０を除くと、紙や各種樹脂を素材としたシート状の材料から形成されており、図７に示すような展開形状に切り出された中間体を組み立てて構成されている。そして、端末閲覧器具２００は、第１壁部２０２に沿って映像表示端末５００を設置し、映像表示端末５００に表示される映像を拡大して観察可能とするものである。映像表示端末５００は、例えば、スマートフォンやタブレット端末等を用いることができる。なお、図７中において、山折りは、一点鎖線で示し、谷折りは、二点鎖線で示している。
また、端末閲覧器具２００は、映像表示端末５００を観察可能な状態である使用状態と、折り畳まれて小型に構成される折り畳み状態との間で変形可能である。以下の説明では、先ず、使用状態における配置等について、説明する。
【００３３】
第２実施形態の端末閲覧器具２００は、接眼部２０１と、第１壁部２０２と、第２壁部２０３と、第３壁部２０４と、端部片２０５と、レンズ２２０とを備えている。レンズ２２０を除き、端末閲覧器具２００は、紙や各種樹脂を素材とした折り目を有する単一のシート状部材により構成されている。本実施形態では、厚紙により構成されている。
【００３４】
接眼部２０１は、前側に上下左右方向に延在して配置されており、レンズ２２０が配置されている領域である。接眼部２０１には、その内面側にレンズ２２０が接着剤や両面テープ等を利用して接合されている。また、接眼部２０１には、人の目の感覚に略近い間隔となるように、中心距離が略６０ｍｍ左右方向に離れて開口された開口部２０１ａを備えている。接眼部２０１は、使用状態において利用者の顔面と対向することとなる。
【００３５】
第１壁部２０２は、接眼部２０１と対向する位置である後側に上下左右方向に延在して配置されている。第１壁部２０２は、端末配置領域２０２ａと接合領域（第１接合部）２０２ｂとを備えている。端末配置領域２０２ａと接合領域２０２ｂとの間の折曲げ線Ｌ２５は、表側から見て谷折りに折曲げられる。映像表示端末５００は、端末配置領域２０２ａの内面に沿って配置される（図１０参照）。接合領域２０２ｂは、第１壁部２０２の端部に設けられており、後述の第３壁部２０４の端部に接合されている。接合には、接着剤を用いてもよいし、両面テープ等、他の接合手段を用いてもよい。
第１壁部２０２の端末配置領域２０２ａは、理想的には、使用状態において接眼部２０１と平行となるようにして用いられる。
【００３６】
第２壁部２０３は、下側において、接眼部２０１と第１壁部２０２との間に連続して構成されており、接眼部２０１及び第１壁部２０２と交差する前後左右方向に延在している。第２壁部２０３と接眼部２０１との境界部分は、山折りの折曲げ線（山折り線）Ｌ２１となっており、第２壁部２０３と第１壁部２０２との境界部分は、山折りの折曲げ線（山折り線）Ｌ２４となっている。
第２壁部２０３には、接眼部２０１と第２壁部２０３との間を接続する稜線となる折曲げ線Ｌ２１と平行な方向に延在する折曲げ線（中央折曲げ線）Ｌ２２が形成されている。端末閲覧器具２００は、この折曲げ線Ｌ２２において折曲げることにより、素材が中央で２つ折りに折曲げられて折り畳み状態とすることができる。折り畳み形態についての詳細は、後述する。
ここで、折曲げ線Ｌ２２を境界として、第１壁部２０２を第１領域２０３ａと呼び、接眼部２０１側を第２領域２０３ｂと呼ぶこととする。使用状態では、折曲げ線Ｌ２２では折曲げずに第１領域２０３ａと第２領域２０３ｂとが同一平面を構成するようにして用いる。なお、折曲げ線Ｌ２２は、後述する折り畳み状態において既に折曲げられていることから、折り癖がついており、実際の使用時には、第１領域２０３ａと第２領域２０３ｂとが必ずしも同一平面を構成するとは限らないが、実使用上は、問題なく端末閲覧器具２００を利用可能である。また、以下に説明する仕切り部２０３ｃを備えることにより、第１領域２０３ａと第２領域２０３ｂとが同一平面を保ちやすくする構成としている。
【００３７】
第２壁部２０３には、折曲げ線Ｌ２２に直交する折曲げ線（仕切り山折り線）Ｌ２３において直交して立ち曲げられる仕切り部２０３ｃが設けられている。
仕切り部２０３ｃは、切断、又は、仮切断された離間予定線Ｌ２９が設けられていることにより第２壁部１０３から離間可能に構成されており、端末閲覧器具２００の内側へ向けて立ち曲げられて、前後上下方向に延在する壁となることから、レンズ２２０を介した視野を分ける機能を備えている。
また、仕切り部２０３ｃは、折曲げ線Ｌ２２に直交する折曲げ線Ｌ２３において直交して立ち曲げられることから、第２壁部２０３の強度（剛性）を高めることができ、第１領域２０３ａと第２領域２０３ｂとが同一平面を保ちやすくする機能を備えている。
さらに、仕切り部２０３ｃは、第１壁部２０２に沿って映像表示端末５００が配置される位置の近傍まで延在している（図１０参照）。これにより、映像表示端末５００が前方へ移動してしまうことを規制でき、映像の観察を容易にすることができる。
【００３８】
第３壁部２０４は、第２壁部２０３とは反対側となる上側で接眼部２０１と連続して構成されており、第２壁部２０３と対向する位置に配置されている。第３壁部２０４と接眼部２０１との境界部分は、山折りの折曲げ線（山折り線）Ｌ２６となっている。また、上述したように、第３壁部２０４の後側の端部は、第１壁部２０２の端部に設けられた接合領域２０２ｂと接合されている。
なお、本実施形態では、第１壁部２０２に折曲げ線Ｌ２５を設けて、第１壁部２０２を折曲げることとしたが、第３壁部２０４側を折曲げるようにしてもよいし、第１壁部２０２と第３壁部２０４の双方に折曲げ線を設けてもよい。
【００３９】
端部片２０５は、端末閲覧器具２００の左右両端に沿って延在して配置されている。より具体的には、端部片２０５は、折曲げ線Ｌ２２よりも接眼部２０１側の第２壁部２０３（すなわち、第２領域２０３ｂ）と、接眼部２０１と、第３壁部２０４との両端位置の外側に相当する位置に設けられている。
端部片２０５は、折曲げ線Ｌ２２において折曲げた状態で対向する第２壁部２０３の第１領域２０３ａと、第１壁部２０２の端末配置領域２０２ａとに接合されている。なお、端部片２０５については、後の折り畳み状態の説明とともに詳しく説明する。
【００４０】
レンズ２２０は、フレネルレンズを２つ配置した樹脂製のレンズシートとして構成されており、接眼部２０１に接着剤又は両面テープを用いて接合されている。
【００４１】
次に、第２実施形態の端末閲覧器具２００の折り畳みについて説明する。
図１１は、第２実施形態の端末閲覧器具の折り畳み状態を示す図である。
図１２は、第２実施形態の端末閲覧器具の折り畳み状態と使用状態との間の変形途中の状態を示す図である。
端末閲覧器具２００は、折曲げ線Ｌ２２で折曲げることにより、折り畳み状態とすることができ、折り畳み状態では、第１壁部２０２と第３壁部２０４と接眼部２０１とが平行に配置される。
【００４２】
また、端部片２０５は、第２壁部２０３の第１領域２０３ａと、第１壁部２０２の端末配置領域２０２ａとに接合されている（第２接合部）。
ここで、第２実施形態の端末閲覧器具２００は、未使用状態では折曲げ線Ｌ２２において折曲げられた折り畳み状態となっている。そして、この折り畳み状態では、両側に設けられた端部片２０５は、ミシン目（切断予定部）Ｌ２８を介して、折曲げ線Ｌ２２よりも接眼部２０１側の第２壁部２０３である第２領域２０３ｂと、接眼部２０１と、第３壁部２０４との両端にそれぞれ繋がっている。
未使用の折り畳み状態では、端部片２０５において両端が接合されていることから、端末閲覧器具２００は、全体が完全に閉じられた状態となっている。
【００４３】
また、輸送時等においてレンズ２２０に傷がついたり、汚れたりすることを防止するために、図１１に示すように、折り畳み状態では、開口部２０１ａには、仮蓋２０１ｂが設けられている。使用を開始するまでは、この仮蓋２０１ｂにより、レンズ２２０を保護する構成となっている。仮蓋２０１ｂは、開口部２０１ａの円形ラインが部分的に接続されたミシン目状に形成されており、使用時には簡単に取り外すことができる。
【００４４】
未使用の折り畳み状態では、第２実施形態の端末閲覧器具２００は、上述のように、端末閲覧器具２００の内部側は、完全に塞がれた状態となっている。
また、多数の部材が重なり合うこともなく、重なるのは、基本的に、端末閲覧器具２００を構成する厚紙２枚分であり、レンズ２２０が含まれる部分だけ、レンズ２２０の厚みが加わるだけである。また、折り畳み状態の端末閲覧器具２００の外形形状は、突起部等もなく、長方形になっており、取り扱いが容易である。また、この折り畳み状態では、仕切り部２０３ｃは、第２壁部２０３と平行な状態に戻されているので、折り畳みの支障とならない。
よって、第２実施形態の端末閲覧器具２００は、第１実施形態の端末閲覧器具１００と同様に、大量に保管する場合にも無駄な空間が必要無く、効率よく保管が可能である。また、第２実施形態の端末閲覧器具２００は、第１実施形態よりもさらに取り扱い性が高い。特に、未使用の折り畳み状態では、手で押さえたりしなくても折り畳み状態を維持しており、形態が安定している。そして、余計な隙間等もない。よって、第２実施形態の端末閲覧器具２００は、例えば、そのまま郵便等で配送することも可能である。郵送する場合には、例えば、第１壁部２０２の端末配置領域２０２ａに直接宛名書きをしたり切手を貼ったりすることもできるし、宛名ラベル等を貼り付けたりすることもできる。
【００４５】
未使用状態（図１１に示す状態）から使用状態に変形させるには、ミシン目Ｌ２８を切断して、各部を折曲げることで、変形させることができる。したがって、端部片２０５は、使用状態においても、第２壁部２０３の第１領域２０３ａと、第１壁部２０２の端末配置領域２０２ａとに接合された状態となっている。
【００４６】
以上説明したように、第２実施形態によれば、端末閲覧器具２００は、凹凸のない長方形に折り畳むことができ、また、その厚さも素材である厚紙の厚さ２枚分と、レンズ２２０のシート厚分だけである。そして、未使用の折り畳み状態では、折り畳み状態を維持することができる。さらに、未使用の折り畳み状態では、端末閲覧器具２００の内部側は、完全に塞がれた状態となっている。したがって、第２実施形態の端末閲覧器具２００は、保管時や輸送時の取り扱い性が高く、利便性が高い。また、必要で有れば、宛名を記入又はラベル貼り等することにより、そのまま、配送することも可能であり、利便性が非常に高いものである。さらに、仕切り部２０３ｃを設けたことにより、使用状態における形態安定性にも優れており、必要十分な使用時の形態を備えている。
【００４７】
（第３実施形態）
図１３は、第３実施形態の端末閲覧器具を表側から見た展開図である。
図１４は、第３実施形態の端末閲覧器具を正面側の斜め上方から示す斜視図である。
図１５は、第３実施形態の端末閲覧器具を正面側の斜め下方から示す斜視図である。
図１６は、第３実施形態の端末閲覧器具の側面図である。
【００４８】
第３実施形態においても、第１実施形態と同様に、上下、左右、前後といった方向を示す文言を用いて説明を行う。
【００４９】
端末閲覧器具３００は、図示するように、レンズ３２０を除くと、紙や各種樹脂を素材としたシート状の材料から形成されており、図１３に示すような展開形状に切り出された中間体を組み立てて構成されている。そして、端末閲覧器具３００は、第１壁部３０２に沿って映像表示端末５００を設置し、映像表示端末５００に表示される映像を拡大して観察可能とするものである。映像表示端末５００は、例えば、スマートフォンやタブレット端末等を用いることができる。なお、図１３中において、山折りは、一点鎖線で示し、谷折りは、二点鎖線で示している。
また、端末閲覧器具３００は、映像表示端末５００を観察可能な状態である使用状態と、折り畳まれて小型に構成される折り畳み状態との間で変形可能である。以下の説明では、先ず、使用状態における配置等について、説明する。
【００５０】
第３実施形態の端末閲覧器具３００は、接眼部３０１と、第１壁部３０２と、第２壁部３０３と、第３壁部３０４と、第２接合片３０５と、端部片３０６と、第１接合片３０７と、レンズ３２０とを備えている。レンズ３２０を除き、端末閲覧器具３００は、紙や各種樹脂を素材とした折り目を有する単一のシート状部材により構成されている。本実施形態では、厚紙により構成されている。
【００５１】
接眼部３０１は、前側に上下左右方向に延在して配置されており、レンズ３２０が配置されている領域である。接眼部３０１には、その内面側にレンズ３２０が接着剤や両面テープ等を利用して接合されている。また、接眼部３０１には、人の目の感覚に略近い間隔となるように、中心距離が略６０ｍｍ左右方向に離れて開口された開口部３０１ａを備えている。接眼部３０１は、使用状態において利用者の顔面と対向することとなる。
【００５２】
第１壁部３０２は、接眼部３０１と対向する位置である後側に上下左右方向に延在して配置されている。映像表示端末５００は、第１壁部３０２の内面に沿って配置される（図１６参照）。
第１壁部３０２の第１壁部３０２は、理想的には、使用状態において接眼部３０１と平行となるようにして用いられる。
【００５３】
第２壁部３０３は、下側において、接眼部３０１と第１壁部３０２との間に連続して構成されており、接眼部３０１及び第１壁部３０２と交差する前後左右方向に延在している。第２壁部３０３と接眼部３０１との境界部分は、山折りの折曲げ線（山折り線）Ｌ３１となっており、第２壁部３０３と第１壁部３０２との境界部分は、山折りの折曲げ線Ｌ３４となっている。
第２壁部３０３には、接眼部３０１と第２壁部３０３との間を接続する稜線となる折曲げ線Ｌ３１と平行な方向に延在する折曲げ線（第２収容折曲げ線）Ｌ３２が形成されている。端末閲覧器具３００は、この折曲げ線Ｌ３２において折曲げることにより、折り畳み状態とすることができる。折り畳み形態についての詳細は、後述する。
ここで、折曲げ線Ｌ３２を境界として、第１壁部３０２を第１領域３０３ａと呼び、接眼部３０１側を第２領域３０３ｂと呼ぶこととする。使用状態では、折曲げ線Ｌ３２では折曲げずに第１領域３０３ａと第２領域３０３ｂとが同一平面を構成するようにして用いる。なお、折曲げ線Ｌ３２は、後述する折り畳み状態において既に折曲げられていることから、折り癖がついており、実際の使用時には、第１領域３０３ａと第２領域３０３ｂとが必ずしも同一平面を構成するとは限らないが、実使用上は、問題なく端末閲覧器具３００を利用可能である。また、以下に説明する仕切り部３０３ｃを備えることにより、第１領域３０３ａと第２領域３０３ｂとが同一平面を保ちやすくする構成としている。
【００５４】
第２壁部３０３には、折曲げ線Ｌ３２に直交する折曲げ線（仕切り山折り線）Ｌ３３において直交して立ち曲げられる仕切り部３０３ｃが設けられている。
仕切り部３０３ｃは、切断、又は、仮切断された離間予定線Ｌ４０が設けられていることにより第２壁部１０３から離間可能に構成されており、端末閲覧器具３００の内側へ向けて立ち曲げられて、前後上下方向に延在する壁となることから、レンズ３２０を介した視野を分ける機能を備えている。
また、仕切り部３０３ｃは、折曲げ線Ｌ３２に直交する折曲げ線Ｌ３３において直交して立ち曲げられることから、第２壁部３０３の強度（剛性）を高めることができ、第１領域３０３ａと第２領域３０３ｂとが同一平面を保ちやすくする機能を備えている。
さらに、仕切り部３０３ｃは、第１壁部３０２に沿って映像表示端末５００が配置される位置の近傍まで延在している（図１６参照）。これにより、映像表示端末５００が前方へ移動してしまうことを規制でき、映像の観察を容易にすることができる。
【００５５】
第３壁部３０４は、第２壁部３０３とは反対側となる上側で第１壁部３０２と連続して構成されており、第２壁部３０３と対向する位置に配置されている。第３壁部３０４と第１壁部３０２との境界部分は、山折りの折曲げ線（第１収容折曲げ線）Ｌ３５となっている。
この折曲げ線（第１収容折曲げ線）Ｌ３５は、第１壁部３０２と第２壁部３０３との境界にある折曲げ線であって、この位置で折曲げられた状態において、第１壁部３０２と第２壁部３０３との間に、接眼部３０１及び第３壁部３０４を収容する形態となる。
【００５６】
第２接合片３０５は、接眼部３０１から第３壁部３０４側へ突出して設けられ、第３壁部３０４に接合されている。本実施形態の第２接合片３０５は、接眼部３０１に近い部分が一部、第３壁部３０４に接合されずに外側に露出している。第２接合片３０５と接眼部３０１との境界部分は、山折りの折曲げ線（山折り線）Ｌ３７となっている。
【００５７】
端部片３０６は、端末閲覧器具３００の左右両端に沿って延在して配置されている。より具体的には、端部片３０６は、第１壁部３０２の両端位置に接合されて設けられている。なお、端部片３０６については、後の折り畳み状態の説明とともに、より詳しく説明する。
【００５８】
第１接合片３０７は、第１壁部３０２に接合された接合領域３０７ａと、後述する未使用状態において第３壁部３０４に接続されている接続領域３０７ｂとを有している。第１接合片３０７は、図１３から図１６に示す使用状態では、第１壁部３０２に接合された状態となっているが、使用状態では、特に機能を有していない。なお、第１接合片３０７についても、後の折り畳み状態の説明とともに、より詳しく説明する。
【００５９】
レンズ３２０は、フレネルレンズを２つ配置した樹脂製のレンズシートとして構成されており、接眼部３０１に接着剤又は両面テープを用いて接合されている。
【００６０】
次に、第３実施形態の端末閲覧器具３００の折り畳みについて説明する。
図１７は、第３実施形態の端末閲覧器具の折り畳み状態を示す図である。
図１８は、第３実施形態の端末閲覧器具の折り畳み状態と使用状態との間の変形途中の状態を示す図である。
端末閲覧器具３００は、折曲げ線Ｌ３２で折曲げることにより、折り畳み状態とすることができ、折り畳み状態では、第１壁部３０２と第３壁部３０４と接眼部３０１とが平行に配置される。
【００６１】
また、端末閲覧器具３００は、未使用状態では折曲げ線Ｌ３２において折曲げられた状態となっている。
端部片３０６は、未使用状態で第３壁部３０４の両端位置の外側に相当する位置に構成さており、折曲げ線Ｌ３２において折曲げた状態で対向する第１壁部３０２に接合されている。この未使用状態では、端部片３０６は、第１の切断予定部Ｌ３６を介して、第３壁部３０４の両端に繋がっている。
【００６２】
さらに、未使用状態では、第１接合片３０７は、第３壁部３０４から連続して突出して構成されており、かつ、折曲げ線Ｌ３９で折曲げられて、接合領域３０７ａが第１壁部３０２に接合された状態となっている。ここで、第１接合片３０７の接続領域３０７ｂは、第２の切断予定部として構成されている切除片３０８及び２本のミシン目Ｌ３８（切断予定部）を介して第３壁部３０４と繋がっている。
【００６３】
このように、端部片３０６及び第１接合片３０７を構成したことにより、端末閲覧器具３００は、全体が完全に閉じられた状態となっている。
【００６４】
未使用の折り畳み状態では、第３実施形態の端末閲覧器具３００は、上述のように、端末閲覧器具３００の内部側は、完全に塞がれた状態となっている。
また、多数の部材が重なり合うこともなく、重なるのは、基本的に、端末閲覧器具３００を構成する厚紙４枚分であり、レンズ３２０が含まれる部分だけ、レンズ３２０の厚みが加わるだけである。また、折り畳み状態の端末閲覧器具３００の外形形状は、突起部等もなく、長方形になっており、取り扱いが容易である。また、この折り畳み状態では、仕切り部３０３ｃは、第２壁部３０３と平行な状態に戻されているので、折り畳みの支障とならない。
よって、第３実施形態の端末閲覧器具３００は、第１実施形態の端末閲覧器具１００と同様に、大量に保管する場合にも無駄な空間が必要無く、効率よく保管が可能である。また、第３実施形態の端末閲覧器具３００は、第１実施形態よりもさらに取り扱い性が高い。特に、未使用の折り畳み状態では、手で押さえたりしなくても折り畳み状態を維持しており、形態が安定している。そして、余計な隙間等もない。よって、第３実施形態の端末閲覧器具３００は、例えば、そのまま郵便等で配送することも可能である。郵送する場合には、例えば、第３壁部３０４に直接宛名書きをしたり切手を貼ったりすることもできるし、宛名ラベル等を貼り付けたりすることもできる。
【００６５】
また、第３実施形態の端末閲覧器具３００は、未使用状態では、長辺の長さが２３．５ｃｍ以下、短編の長さが１２ｃｍ以下、の長方形形状であって、かつ、厚さが１ｃｍ以下に形成されている。したがって、日本国内における郵便の定形郵便物として郵送することが可能である。第３実施形態の端末閲覧器具３００が定形郵便物の最大サイズ以内の大きさに収めることが可能となったのは、単に全体の寸法を小さくしたことによるものではなく、第３実施形態に特有の構成を備えることにより実現できたものである。すなわち、例えば、第２実施形態の端末閲覧器具２００の寸法を小型にして定形郵便物の最大サイズ以内にしてしまうと、２つのレンズ２２０の距離が狭くなってしまい、実使用に適さない形態となってしまう。これに対して、第３実施形態の端末閲覧器具３００では、２つのレンズ３２０が並ぶ方向を折り畳み状態の長手方向に合せる配置とすることにより必要なレンズ間隔を確保した。また、第３実施形態の端末閲覧器具３００では、折り畳み状態において素材が４枚重なる構成とすることにより、使用状態における映像表示端末５００とレンズ３２０との間に必要な間隔を得られるように構成している。このように、第３実施形態の端末閲覧器具３００では、折り畳み状態における小型化をさらに進めた形態としながら、使用状態においては、必要な各部寸法を確保しており、より一層利便性が高くなっている。
【００６６】
未使用状態（図１７に示す状態）から使用状態に変形させるには、２本のミシン目Ｌ３８を切断しながら切除片３０８を切除し、かつ、第１の切断予定部Ｌ３６を切断して、各部を折曲げることで、変形させることができる。したがって、端部片３０６は、使用状態においても、第１壁部３０２に接合された状態となっている。また、第１接合片３０７は、使用状態においても、第１壁部３０２に接合された状態となって残る。
【００６７】
以上説明したように、第３実施形態によれば、端末閲覧器具３００は、凹凸のない長方形に折り畳むことができ、また、その厚さも素材である厚紙の厚さ４枚分と、レンズ３２０のシート厚分だけである。そして、未使用の折り畳み状態では、折り畳み状態を維持することができる。さらに、未使用の折り畳み状態では、端末閲覧器具３００の内部側は、完全に塞がれた状態となっている。したがって、第３実施形態の端末閲覧器具３００は、保管時や輸送時の取り扱い性が高く、利便性が高い。また、必要で有れば、宛名を記入又はラベル貼り等することにより、そのまま、配送することも可能であり、利便性が非常に高いものである。さらに、仕切り部３０３ｃを設けたことにより、使用状態における形態安定性にも優れており、必要十分な使用時の形態を備えている。さらに、第３実施形態の端末閲覧器具３００は、未使用状態では、長辺の長さが２３．５ｃｍ以下、短編の長さが１２ｃｍ以下、の長方形形状であって、かつ、厚さが１ｃｍ以下に形成されており、日本国内における郵便の定形郵便物として郵送することが可能である。
【００６８】
（変形形態）
以上説明した実施形態に限定されることなく、種々の変形や変更が可能であって、それらも本発明の範囲内である。
【００６９】
（１）各実施形態において、上下、左右といった方向を示す文言を用いて説明したが、この方向については、説明の都合上用いたものであって、使用形態をこれらの方向に限定するものではない。特に、上下については、説明に用いた上下方向を逆にして用いることも可能である。
【００７０】
（２）各実施形態において、仕切り部は、端末閲覧器具の内側へ向けて立ち曲げられており、前後上下方向に延在する壁として、レンズを介した視野を分ける機能を備えている例を挙げて説明した。これに限らず、例えば、仕切り部は、端末閲覧器具の外側へ向けて立ち曲げられてもよい。このような構成とすれば、レンズを実施形態に示した双眼タイプとせずに、単眼タイプのレンズで構成することができる。
【００７１】
（３）第３実施形態において、第２の切断予定部として、切除片３０８と、２本のミシン目Ｌ３８とを設けた例を挙げて説明した。これに限らず、例えば、ミシン目のみにより第２の切断予定部を構成してもよい。
【００７２】
（４）各実施形態において、レンズを除いて、紙や各種樹脂を素材としたシート状の材料から形成されており、折曲げを行うことで形状を構成している例を挙げて説明した。これに限らず、例えば、板状の材料から各部材を構成してもよいし、折曲げを行う部分の一部又は全部に、蝶番を配置してもよい。
【００７３】
（５）各実施形態において、レンズは、樹脂製のフレネルレンズシートとして構成した例を挙げて説明した。これに限らず、例えば、樹脂製又はガラス製の屈折レンズを用いてもよい。
【００７４】
なお、各実施形態及び変形形態は、適宜組み合わせて用いることもできるが、詳細な説明は省略する。また、本発明は以上説明した各実施形態によって限定されることはない。
【符号の説明】
【００７５】
１００    端末閲覧器具
１０１    接眼部
１０１ａ  開口部
１０１ｂ  仮蓋
１０２    第１壁部
１０２ａ  端末配置領域
１０２ｂ  接合領域
１０３    第２壁部
１０３ａ  第１領域
１０３ｂ  第２領域
１０３ｃ  仕切り部
１０４    第３壁部
１２０    レンズ
２００    端末閲覧器具
２０１    接眼部
２０１ａ  開口部
２０１ｂ  仮蓋
２０２    第１壁部
２０２ａ  端末配置領域
２０２ｂ  接合領域
２０３    第２壁部
２０３ａ  第１領域
２０３ｂ  第２領域
２０３ｃ  仕切り部
２０４    第３壁部
２０５    端部片
２２０    レンズ
３００    端末閲覧器具
３０１    接眼部
３０１ａ  開口部
３０２    第１壁部
３０３    第２壁部
３０３ａ  第１領域
３０３ｂ  第２領域
３０３ｃ  仕切り部
３０４    第３壁部
３０５    第２接合片
３０６    端部片
３０７    第１接合片
３０７ａ  接合領域
３０７ｂ  接続領域
３０８    切除片
３２０    レンズ
５００    映像表示端末
【図１】
2019105707.tif 000003
【図２】
2019105707.tif 000004
【図３】
2019105707.tif 000005
【図４】
2019105707.tif 000006
【図５】
2019105707.tif 000007
【図６】
2019105707.tif 000008
【図７】
2019105707.tif 000009
【図８】
2019105707.tif 000010
【図９】
2019105707.tif 000011
【図１０】
2019105707.tif 000012
【図１１】
2019105707.tif 000013
【図１２】
2019105707.tif 000014
【図１３】
2019105707.tif 000015
【図１４】
2019105707.tif 000016
【図１５】
2019105707.tif 000017
【図１６】
2019105707.tif 000018
【図１７】
2019105707.tif 000019
【図１８】
2019105707.tif 000020